(57)【要約】      （修正有）【課題】小型で熱交換効率が良く、製造が容易で、防塵、防滴性を有する熱交換装置を提供するものである。【解決手段】平面状の円板部を構成した２個の回転体を円板部に設けた夫々半径の異なる円筒部に対向して設け、回転軸に対して勾配を有する傾斜円筒壁部を有するベース部材を設け、ベース部材の中心部に回転体を駆動するモーターを取り付けたことを特徴とする。  【選択図】図１
0003152171.tif 000002
【実用新案登録請求の範囲】
【請求項１】
中心部に軸流ファンブレードを構成し、その外側に平面状の円板部を構成した２個の回転体を該円板部に設けた夫々半径の異なる円筒部を対向して設け、該２個の回転体の間に該回転体の回転軸に対して勾配を有する傾斜円筒壁部と該回転体の平面状の円板部に接近して対向する平面壁部を有するベース部材を設け、該ベース部材の中心部に回転体を駆動するモーターを取り付けたことを特徴とする熱交換装置。
【請求項２】
ベース部材を貫通するモーター軸に弾性体を材料として成型されたシール部材を嵌装したことを特徴とする請求項１記載の熱交換装置。
【考案の詳細な説明】
【技術分野】
【０００１】
本考案は、電子装置等の冷却用に用いられる熱交換装置に関するものであり、特に小型
で熱交換効率の良い上、外部からの塵埃、水滴等の侵入を防止して故障の原因を排除することが出来るもの熱交換装置を提供するものである。
【背景技術】
【０００２】
上記のごとき用途に使用されている主なものとしては、空冷用の軸流ファン、クロスフ
ローファン、又はヒートパイプを利用した冷却装置等がある。
しかし、前２者は筐体に装着した場合に内部に外部の埃を吸込むことで故障の原因とな
り、防塵フィルターを使用した場合は、その圧力損失の為に風速が減少し、冷却効果が大
幅に低下する上水滴の侵入を防止する機能はない。また、後者は冷却装置自体が大型で、高価なものとなり広く使用されるには至っていない。
【０００３】
この対策として密閉式の熱交換装置を使用することで防塵性、防滴性とコストダウンの効果を上げているが、より小型のものが望まれている。
また、本出願人が出願中の特許技術においては同心円の複数の壁と回転体の間の流体が壁によって生じる流体抵抗によって減速されて、充分な量の流体を流すことが出来ないことと製造方法が難しく高価なものとなっている為に実用化が進んでいない。
【特許文献１】特開平１０-２１３３８３公報
【特許文献２】特願２００４−１２３６１８公報
【考案の開示】
【考案が解決しようとする課題】
【０００４】
本考案は、上記背景の下に成立したものであり、小型で簡単な構造でありながら、熱交
換効率が良く、防塵、防滴性を有し安価に製造することが出来る熱交換装置を提供するものである。
【課題を解決するための手段】
【０００５】
本考案の第１の手段は、中心部に軸流ファンブレードを構成し、その外側に平面状の円板部を構成した２個の回転体を該円板部に設けた夫々半径の異なる円筒部を対向して設け、該２個の回転体の間に該回転体の回転軸に対して勾配を有する傾斜円筒壁部と該回転体の平面状の円板部に接近して対向する平面壁部を有するベース部材を設け、該ベース部材の中心部に回転体を駆動するモーターを取り付けた熱交換装置を提供するものである。
【０００６】
本考案の第２の手段は、ベース部材を貫通するモーター軸に弾性体を材料として成型されたシール部材を嵌装した上記第１の手段記載の熱交換装置を提供するものである。
【考案の効果】
【０００７】
本考案の熱交換装置は、上記の手段に示すように、中心部に軸流ファンブレードを構成し、その外側に平面状の円板部を構成した２個の回転体を該円板部に設けた夫々半径の異なる円筒状突起を対向して設け、該２個の回転体の間に該回転体の回転軸に対して勾配を有する傾斜円筒壁部と平面状の円板部に接近して対向する平面壁部を有する金属製のベース部材を設けることによって回転体の中心部から軸流ファンブレードによって吸い込んだ流体が平面状の円板部及び円筒状突起と勾配を有する傾斜円筒壁部との隙間を回転体の回転によって流体に生じる遠心力によってスムーズに流れることによってベース部材両面の熱を効率良く外周部に運び出すことが出来るものである。傾斜円筒壁面の勾配は物体が坂道を転がるのと同様の効果で流体が流路の抵抗に打ち勝って遠心力によって外周方向に流れる為の原動力となる。なお、該傾斜円筒壁部はベース部材をダイカストによる製造方法で容易に形成することが出来る。
【０００８】
これまでの熱交換装置では、送風機能と熱交換機能が分離されていたために装置の小型の障害となっていたが、本考案の熱交換装置は、上記の手段により装置の中心部から外周部まで熱交換機能と送風機能が融合していることで装置の小型を可能にしている。
【０００９】
また、ベース部材を貫通して２個の回転体を駆動するモーター軸にゴムなどの弾性体を材料としたシール部材を嵌装したことによって本冷却装置を取り付けた筐体外部の塵埃、水滴などがベース部材を貫通したモーター軸用の貫通穴から筐体内部に浸入することを効果的に防止することが出来る。
【考案を実施するための最良の形態】
【００１０】
本考案の構造は、中心部にハブ状に形成された複数枚の軸流ファンブレードを構成し、その外側に平面状の円板部を構成した２個の回転体を該円板部に設けた夫々半径の異なる円筒状突起を対向して設け、該２個の回転体の間に該回転体の回転軸に対して勾配を有する傾斜円筒壁部と平面状の円板部に接近して対向する平面壁部を有する金属製のベース部材を設けることによって回転体の中心部から軸流ファンブレードによって吸い込んだ流体が平面状の円板部及び円筒状突起と勾配を有する傾斜円筒壁部との隙間を回転体の回転によって生じる遠心力によってスムーズに流れることによってベース部材両面の熱を効率良く外周部に運び出すことが出来る熱交換装置である。
【００１１】
また、ベース部材を貫通して２個の回転体を駆動するモーター軸にゴムなどの弾性体を材料としたシール部材を嵌装することが望ましい。
【実施例１】
【００１２】
以下図について本考案の実施形態について説明する。
図１は本考案の一実施形態の構造を示す側断面図である。
図１において、中心部にハブ状に形成された複数枚の軸流ファンブレード１、２を構成し、その外側に平面状の円板部３、４を構成した２個の回転体５、６を該円板部３、４に設けた夫々半径の異なる円筒状突起７、８、９、１０を対向して設ける。円筒状突起７、８、９、１０には成型加工上の抜き勾配があっても差し支えない。該２個の回転体５、６の間には該回転体５、６の回転軸Ａに対して勾配を有する傾斜円筒壁部１１、１２、１３、１４と平面状の３、４に接近して対向する平面壁部１５、１６を有する金属製のベース部材１７を設けることによって回転体５、６の中心部から軸流ファンブレード１、２によって吸い込んだ流体が平面状の円板部３、４及び円筒状突起７、８、９、１０と勾配を有する傾斜円筒壁部１１、１２、１３、１４との隙間を回転体５、６の回転によって生じる遠心力によって流線Ｂ、Ｃに示すごとくスムーズに流れることでベース部材１７両面の熱を効率良く外周部に運び出すことが出来る熱交換装置である。尚、該傾斜円筒壁部１１、１２、１３、１４はベース部材１７をダイカストによる製造方法で容易に形成することが出来る。また、回転体５、６は価格の安いプラスチック製での製造が可能であり、熱交換能力には影響はない。その場合に円板部３、４及び円筒状突起７、８、９、１０に強度向上の目的などによるリブ等の凹凸の形成は詳細の図示を省略しているが、回転体５、６の回転を流体に伝える為の手段として有効であり、本考案の主旨を外れるものではない。
【００１３】
また、ベース部材１７を貫通して２個の回転体５、６を駆動するモーター軸１８にゴムなどの弾性体を材料としたシール部材１９を嵌装することが望ましい。カップ状のシール部材１９はモーター軸１８を緩く締め付ける程度に組み合わされ外周部がベース部材１７に接合されている。このシール部材１９によって電子部品などを内蔵する筐体の冷却用に本冷却装置を実装した場合に筐体内部に外部からの塵埃、水滴等の侵入を防止して故障の原因を排除することが出来る。筐体と本冷却装置の取り付け部はＯリングなどによって容易に封止することが可能であることは云うまでもない。しかし、シール部材１９の形状はこれに限定するものではない。２０は回転体５に手が触れるのを防ぐ外部カバーであり、モーター駆動用のケーブル２１はベース部材１７の凹部に埋め込まれた状態で外部に引き出される。
【００１４】
これまでの説明で、流体については限定していない。一般的には主に空気を対称とした用途で用いられるが、他の気体でも問題なく、又液体についても同様な構成で応用出来ることは云うまでもない。
【００１５】
以上の説明で明らかなごとく、本考案の冷却装置は回転体の回転によって発生した遠心力で流体を傾斜円筒壁部との隙間を中央部から外周部に向かった効率良く流すことによる熱交換作用によって筐体内部の熱を外部に排出することが出来る上、外部からの塵埃、水滴等の侵入を防止して故障の原因を排除することが出来るものであり、その実用的効果は極めて著しい。
【図面の簡単な説明】
【００１６】
【図１】本考案の一実施形態の構造を示す側断面図である。
【符号の説明】
【００１７】
１、２：軸流ファンブレード
３、４：円板部
５、６：回転体
７、８、９、１０：円筒状突起
１１、１２、１３、１４：傾斜円筒壁部
１５、１６：平面壁部
１７：ベース部材
１８：モーター軸
１９：シール部材
２０：外部カバー
２１：ケーブル
Ａ  ：回転軸
Ｂ、Ｃ：流線
【図１】
0003152171.tif 000003